(57)【要約】【課題】著作権情報が重畳された映像信号を処理する、回路規模の小さい、低消費電力の映像信号処理装置を提供する。【解決手段】デジタルＹ信号Ｓ８０９から同期信号Ｓ８１２を検出する第１の同期信号分離回路８１２と、入力信号がＹ／Ｃｂ／Ｃｒ信号のとき、前記同期信号Ｓ８１２を用いて前記デジタルＹ信号Ｓ８０９から著作権情報Ｓ８１３を検出する第１の著作権検出回路８１３と、外部より入力されるアナログＶｉｄｅｏ信号に対しフィルタ処理を行うＬＰＦ１０１と、ＬＰＦ１０１の出力信号Ｓ１０１を２値化信号Ｓ１０２に変換する２値化回路１０２と、前記２値化信号Ｓ１０２から同期信号Ｓ８１５を検出する第３の同期分離回路８１５と、入力信号がＧ／Ｂ／Ｒ信号のとき、前記２値化信号Ｓ１０２から著作権情報Ｓ８１６を検出する第２の著作権検出回路８１６と、を備えるようにした。【選択図】      図１
2004328660.tif 000002
【特許請求の範囲】
【請求項１】
入力アナログ映像信号をデジタルＹ／Ｃｂ／Ｃｒ信号に変換処理する映像信号処理装置において、
前記デジタルＹ信号から該信号中に含まれる第１の同期信号を検出する第１の同期信号検出手段と、
前記入力アナログ映像信号がＹ／Ｃｂ／Ｃｒ信号のとき、前記第１の同期信号を用いて前記デジタルＹ信号から該信号に重畳されている第１の著作権情報を検出する第１の著作権情報検出手段と、
外部より入力されるアナログＶｉｄｅｏ信号に対しフィルタ処理を行うＬＰＦと、
前記フィルタ処理後のアナログＶｉｄｅｏ信号を２値化信号に変換する２値化手段と、
前記２値化信号から該信号中に含まれる第２の同期信号を検出する第２の同期信号検出手段と、
前記入力アナログ映像信号がＧ／Ｂ／Ｒ信号のとき、前記第２の同期信号を用いて前記２値化信号から該信号中に重畳されている第２の著作権情報を検出する第２の著作権情報検出手段とを備えた、
ことを特徴とする映像信号処理装置。
【請求項２】
入力アナログ映像信号をデジタルＹ／Ｃｂ／Ｃｒ信号に変換処理する映像信号処理装置において、
前記デジタルＹ信号から該信号中に含まれる第１の同期信号を検出する第１の同期信号検出手段と、
外部より入力されるアナログＶｉｄｅｏ信号に対しフィルタ処理を行うＬＰＦと、
前記フィルタ処理後のアナログＶｉｄｅｏ信号を２値化信号に変換する２値化手段と、
前記デジタルＹ信号の出力タイミングと前記２値化信号の出力タイミングとのずれを検知し、該検知したずれに基づいて第１の同期信号を調整して第２の同期信号を生成する第２の同期信号出力手段と、
前記入力アナログ映像信号がＹ／Ｃｂ／Ｃｒ信号のとき、前記第１の同期信号を用いて前記デジタルＹ信号から該信号に重畳されている第１の著作権情報を検出し、前記入力アナログ映像信号がＧ／Ｂ／Ｒ信号のとき、前記第２の同期信号を用いて前記２値化信号から該信号に重畳されている第２の著作権情報を検出する著作権情報検出手段とを備えた、
ことを特徴とする映像信号処理装置。
【発明の詳細な説明】
【０００１】
【発明の属する技術分野】
本発明は、著作権情報が重畳された映像信号を処理する映像信号処理装置に関するものである。
【０００２】
【従来の技術】
従来、アナログ映像入力信号が色差信号（Ｙ／Ｃｂ／Ｃｒ）の場合は、クランプ・Ａ／Ｄ変換をして同期分離の後、著作権情報の検出を行なっている（たとえば特許文献１）。また、アナログ映像入力信号がＲ／Ｇ／Ｂ信号の場合は、この映像信号に著作権情報が重畳されていないためＶｉｄｅｏ信号を入力し、クランプ・Ａ／Ｄ変換をして同期分離の後、著作権情報の検出を行なっている。
【０００３】
著作権情報として、例えば、マクロビジョン社のＡＧＣ（Ａｕｔｏ  Ｇａｉｎ  Ｃｏｎｔｒｏｌ）パルスのように振幅の大きい疑似同期信号が挿入されているものがある。図５にマクロビジョンＡＧＣパルス波形図を示す。他にも、図６に示すＶＢＩＤ信号（Ｖｅｒｔｉｃａｌ  Ｂｌａｎｋｉｎｇ  Ｉｎｔｅｒｖａｌ  Ｄａｔａ）を利用し、５２５ライン／６０フィールドの映像信号の垂直ブランキング期間（２０ラインと２８３ライン）の水平期間に挿入されているものや、ＷＳＳ信号（Ｗｉｄｅ  Ｓｃｒｅｅｎ  Ｓｉｇｎａｌｉｎｇ）を利用し、６２５ライン／５０フィールドの映像信号の垂直ブランキング期間（２３ライン）の水平期間に挿入されているものがある。アメリカでは、クローズドキャプションと呼ばれる文字信号が２１ラインに挿入されている。
【０００４】
以下、図面を参照しながら上述した映像信号処理装置の一例について説明する。
図７は、従来の映像信号処理装置の構成を示す図である。
図７に示す従来の映像信号処理装置は、マトリックス回路８０５と、第２の同期分離回路８０６と、同期信号付加回路８０７と、第１の切替回路８０８と、ＡＤ変換回路８０９〜８１１と、第１の同期分離回路８１２と、第１の著作権情報検出回路８１３と、第４のＡＤ変換回路８１４と、第３の同期分離回路８１５と、第２の著作権情報検出回路８１６と、第２の切替回路８１７とを備えたものである。
【０００５】
前記マトリックス回路８０５は、入力端子８０１，８０２，８０３を介して入力されたアナログ映像Ｇ／Ｂ／Ｒ信号をアナログ映像Ｙ／Ｃｂ／Ｃｒ信号に変換する。
【０００６】
前記第２の同期分離回路８０６は、入力端子８０４を介して入力されたアナログＶｉｄｅｏ信号Ｓ８０４から該信号に含まれる垂直・水平同期信号（同期信号）Ｓ８０６を分離する。
前記同期信号付加回路８０７は、マトリックス回路８０５の出力信号（同期信号なしＹ信号）Ｓ８０５ａに同期信号Ｓ８０６を付加する。
【０００７】
第１の切替回路８０８は、入力端子８０１〜８０３を介して入力された信号Ｓ８０１，Ｓ８０２，Ｓ８０３、あるいは同期信号付加回路８０７の出力信号Ｓ８０７，及びマトリックス回路８０５の出力信号Ｓ８０５ｂ，Ｓ８０５ｃを出力する。
【０００８】
第１，第２，第３のＡＤ変換回路８０９〜８１１は、アナログＹ／Ｃｂ／Ｃｒ信号Ｓ８０８ａ，Ｓ８０８ｂ，Ｓ８０８ｃを、デジタルＹ／Ｃｂ／Ｃｒ信号Ｓ８０９，Ｓ８１０，Ｓ８１１に変換する。
【０００９】
第１の同期分離回路８１２は、デジタルＹ信号Ｓ８０９から該信号に含まれる垂直・水平同期信号（同期信号）Ｓ８１２を分離する。
第１の著作権検出回路８１３は、同期信号Ｓ８１２を用いてデジタルＹ信号Ｓ８０９から該信号に含まれる著作権情報Ｓ８１３を検出する。
【００１０】
第４のＡＤ変換回路８１４は、アナログＶｉｄｅｏ信号Ｓ８０４をデジタルＶｉｄｅｏ信号Ｓ８１４に変換する。
第３の同期分離回路８１５は、デジタルＶｉｄｅｏ信号Ｓ８１４から該信号に含まれる垂直・水平同期信号（同期信号）Ｓ８１５を分離する。
【００１１】
第２の著作権情報検出回路８１６は、同期信号Ｓ８１５を用いてデジタルＶｉｄｅｏ信号Ｓ８１４から該信号に含まれる著作権情報Ｓ８１６を検出する。
第２の切替回路８１７は、第１の著作権情報検出回路８１３の出力である著作権情報Ｓ８１３と、第２の著作権情報検出回路８１６の出力である著作権情報Ｓ８１６とを切替えて出力する。
【００１２】
以上のように構成された映像信号処理装置の動作について説明する。
まず、入力アナログ映像信号のデジタルＹ／Ｃｂ／Ｃｒ信号への変換処理について説明する。
入力信号がアナログ映像Ｙ／Ｃｂ／Ｃｒ信号の場合、該入力信号Ｓ８０１〜８０３は第１の切替回路８０８に入力される。
【００１３】
一方、入力信号がアナログ映像Ｇ／Ｂ／Ｒ信号の場合、該入力信号Ｓ８０１〜８０３は、マトリックス回路８０５により、同期信号なしアナログＹ信号Ｓ８０５ａ，アナログＣｂ信号Ｓ８０５ｂ，アナログＣｒ信号Ｓ８０５ｃに変換される。そして、同期信号なしアナログＹ信号Ｓ８０５ａは同期信号付加回路８０７へ入力され、アナログＣｂ信号Ｓ８０５ｂ，及びアナログＣｒ信号Ｓ８０５ｃは第１の切替回路８０８に入力される。
【００１４】
また、Ｖｉｄｅｏ信号入力端子８０４を介して入力されたアナログＶｉｄｅｏ信号Ｓ８０４は、第２の同期分離回路８０６により、該アナログＶｉｄｅｏ信号Ｓ８０４に含まれる同期信号Ｓ８０６が検出される。同期信号付加回路８０７では、前記同期信号Ｓ８０６を前記同期信号なしアナログＹ信号Ｓ８０５ａに付加し、アナログＹ信号Ｓ８０７として第１の切替回路８０８に入力する。
【００１５】
第１の切替回路８０８では、入力信号がアナログ映像ＹＣｂＣｒ信号のとき、アナログ映像Ｙ信号Ｓ８０１、アナログ映像Ｃｂ信号Ｓ８０２、及びアナログ映像Ｃｒ信号Ｓ８０３を選択し、入力信号がアナログ映像ＧＢＲ信号のとき、アナログＹ信号Ｓ８０７、アナログＣｂ信号Ｓ８０５ｂ、及びアナログＣｒ信号Ｓ８０５ｃを選択し、出力する。そして、前記第１の切替回路８０８の出力であるアナログＹ信号Ｓ８０８ａ、アナログＣｂ信号Ｓ８０８ｂ、アナログＣｒ信号Ｓ８０８ｃはそれぞれ、第１のＡＤ変換回路８０９、第２のＡＤ変換回路８１０、第３のＡＤ変換回路８１１によりデジタルＹ信号Ｓ８０９、デジタルＣｂ信号Ｓ８１０、デジタルＣｒ信号Ｓ８１１に変換され出力される。
【００１６】
次に、著作権情報の検出について説明する。
入力信号がアナログ映像Ｙ／Ｃｂ／Ｃｒ信号の場合、著作権情報はアナログ映像Ｙ信号に重畳されているため、第１の同期分離回路８１２により前記第１のＡＤ変換回路８０９の出力であるデジタルＹ信号Ｓ８０９から該信号に含まれる同期信号Ｓ８１２を検出し、第１の著作権情報検出回路８１３に出力する。そして、第１の著作権情報検出回路８１３にて前記第１の同期分離回路８１２の出力である同期信号Ｓ８１２を用いて所望のタイミングで前記第１のＡＤ変換回路８０９の出力であるデジタルＹ信号Ｓ８０９から該信号に含まれる著作権情報Ｓ８１３を検出し、第２の切替回路８１７を介して外部へ出力する。
【００１７】
一方、入力信号がアナログ映像Ｇ／Ｂ／Ｒ信号の場合、アナログＶｉｄｅｏ信号から著作権情報を検出する必要があるため、まず、第４のＡＤ変換回路８１４により前記アナログＶｉｄｅｏ信号Ｓ８０４をデジタルＶｉｄｅｏ信号Ｓ８１４に変換し、第３の同期分離回路８１５により前記デジタルＶｉｄｅｏ信号Ｓ８１４から同期信号Ｓ８１５を検出して第２の著作権情報検出回路８１６に出力する。そして、第２の著作権情報検出回路８１６にて前記第３の同期分離回路８１５で検出された同期信号Ｓ８１５を用いて所望のタイミングで前記第４のＡＤ変換回路８１４の出力であるデジタルＶｉｄｅｏ信号Ｓ８１４から該信号に含まれる著作権情報Ｓ８１６を検出し、第２の切替回路８１７を介して外部へ出力する。
【００１８】
【特許文献１】
特開平１１−３３１７５２号公報
【００１９】
【発明が解決しようとする課題】
しかし、上記構成ではアナログ映像Ｇ／Ｂ／Ｒ信号の場合、著作権情報がアナログ映像Ｙ信号に重畳されていないため、Ｖｉｄｅｏ信号から著作権情報を検出する必要があり、Ｖｉｄｅｏ信号用のＡ／Ｄ変換回路、同期分離回路、著作権情報検出回路が必要になり、回路規模の増大を招くとともに、消費電力が多くなってしまう。
本発明は、上記問題点を解決するためになされたものであり、回路規模の小さい、低消費電力の映像信号処理装置を提供することを目的とする。
【００２０】
【課題を解決するための手段】
上記課題を解決するために、本発明の請求項１にかかる映像信号処理装置は、入力アナログ映像信号をデジタルＹ／Ｃｂ／Ｃｒ信号に変換処理する映像信号処理装置において、前記デジタルＹ信号から該信号中に含まれる第１の同期信号を検出する第１の同期信号検出手段と、前記入力アナログ映像信号がＹ／Ｃｂ／Ｃｒ信号のとき、前記第１の同期信号を用いて前記デジタルＹ信号から該信号に重畳されている第１の著作権情報を検出する第１の著作権情報検出手段と、外部より入力されるアナログＶｉｄｅｏ信号に対しフィルタ処理を行うＬＰＦと、前記フィルタ処理後のアナログＶｉｄｅｏ信号を２値化信号に変換する２値化手段と、前記２値化信号から該信号中に含まれる第２の同期信号を検出する第２の同期信号検出手段と、前記入力アナログ映像信号がＧ／Ｂ／Ｒ信号のとき、前記第２の同期信号を用いて前記２値化信号から該信号中に重畳されている第２の著作権情報を検出する第２の著作権情報検出手段とを備えたことを特徴とするものである
これにより、回路規模の大きいＡ／Ｄ変換回路を持つ必要がなく、回路の構成が簡易になり、消費電力を削減することができる。
【００２１】
また、本発明の請求項２にかかる映像信号処理装置は、入力アナログ映像信号をデジタルＹ／Ｃｂ／Ｃｒ信号に変換処理する映像信号処理装置において、前記デジタルＹ信号から該信号中に含まれる第１の同期信号を検出する第１の同期信号検出手段と、外部より入力されるアナログＶｉｄｅｏ信号に対しフィルタ処理を行うＬＰＦと、前記フィルタ処理後のアナログＶｉｄｅｏ信号を２値化信号に変換する２値化手段と、前記デジタルＹ信号の出力タイミングと前記２値化信号の出力タイミングとのずれを検知し、該検知したずれに基づいて第１の同期信号を調整して第２の同期信号を生成する第２の同期信号出力手段と、前記入力アナログ映像信号がＹ／Ｃｂ／Ｃｒ信号のとき、前記第１の同期信号を用いて前記デジタルＹ信号から該信号に重畳されている第１の著作権情報を検出し、前記入力アナログ映像信号がＧ／Ｂ／Ｒ信号のとき、前記第２の同期信号を用いて前記２値化信号から該信号に重畳されている第２の著作権情報を検出する著作権情報検出手段とを備えたことを特徴とするものである。
【００２２】
これにより、Ｇ／Ｂ／Ｒ信号用の同期信号検出手段、及び著作権情報検出手段を設ける必要が無く、Ｙ／Ｃｂ／Ｃｒ信号用の同期信号検出手段、及び著作権情報検出手段を共用することができ、より回路規模が小さく、回路の構成が簡易になり、消費電力を大幅に削減することができる。
【００２３】
【発明の実施の形態】
以下、本発明の実施の形態について、図を用いて説明する。なお、ここで示す実施の形態はあくまでも一例であって必ずしもこの実施の形態に限定されるものではない。
【００２４】
（実施の形態１）
以下に、本発明の実施の形態１による映像信号処理装置について説明する。
図１は、本実施の形態１にかかる映像信号処理装置のブロック図である。なお、図１において、図８と同一または相当する構成要素については同じ符号を用い、その説明を省略する。
【００２５】
図１に示す本実施の形態１にかかる映像信号処理装置は、従来装置における，マトリックス回路８０５、第２の同期分離回路８０６、同期信号付加回路８０７、第１の切替回路８０８、第１のＡＤ変換回路８０９、第２のＡＤ変換回路８１０、第３のＡＤ変換回路８１１、第１の同期分離回路８１２、第１の著作権情報検出回路８１３、第３の同期分離回路８１５、第２の著作権情報検出回路８１６、及び第２の切替回路８１７に加えて、さらに、ＬＰＦ１０１、及び２値化回路１０２を備えたものである。
【００２６】
前記ＬＰＦ１０１は、アナログＶｉｄｅｏ信号Ｓ８０４に対しフィルタ処理を行なう。
前記２値化回路１０２は、ＬＰＦ出力信号Ｓ１０１を２値化信号Ｓ１０２に変換する。
【００２７】
以上のように構成された映像信号処理装置の動作について説明する。なお、入力アナログ映像信号のディジタルＹ／Ｃｂ／Ｃｒ信号への変換処理について従来と同じであるため、ここでは説明を省略し、以下、著作権情報の検出について述べる。
入力信号がアナログ映像Ｙ／Ｃｂ／Ｃｒ信号の場合、アナログ映像Ｙ信号に重畳されている著作権情報を検出する。
【００２８】
まず、第１の同期分離回路８１２により前記第１のＡＤ変換回路８０９の出力であるデジタルＹ信号Ｓ８０９から該信号に含まれる同期信号Ｓ８１２を検出し、第１の著作権情報検出回路８１３に出力する。そして、第１の著作権情報検出回路８１３では、前記第１の同期分離回路８１２の出力である同期信号Ｓ８１２を用いて所望のタイミングで前記第１のＡＤ変換回路８０９の出力であるデジタルＹ信号Ｓ８０９から該信号に重畳されている著作権情報Ｓ８１３を検出し、第２の切替回路８１７を介して外部へ出力する。
一方、入力信号がアナログ映像Ｇ／Ｂ／Ｒ信号の場合、アナログＶｉｄｅｏ信号に重畳されている著作権情報を検出する。
【００２９】
ここで、アナログＶｉｄｅｏ信号Ｓ８０４にマクロビジョンＡＧＣパルスが重畳されている場合を図２（ａ）に示す。このアナログＶｉｄｅｏ信号Ｓ８０４をＬＰＦ１０１に入力し、たとえば２ＭＨｚのフィルタ処理を行い、２値化回路１０２に出力する。これを図２（ｂ）に示す。２値化回路１０２では、このＬＰＦ１０１の出力信号Ｓ１０１に対し、たとえばシンクチップ（−３０ＩＲＥ）から＋１０ＩＲＥまでの領域の５０％レベル（−１０ＩＲＥ）で２値化を行い、２値化信号Ｓ１０２を出力する。これを図２（ｃ）に示す。
【００３０】
また、アナログＶｉｄｅｏ信号Ｓ８０４にＶＢ−ＩＤが重畳されている場合を図３（ａ）に示す。このアナログＶｉｄｅｏ信号Ｓ８０４をＬＰＦ１０１に入力し、たとえば２ＭＨｚのＬＰＦを掛け、２値化回路１０２に出力する。これを図３（ｂ）に示す。２値化回路１０２では、このＬＰＦ１０１の出力信号Ｓ１０１に対し、たとえばペデスタルレベル（０ＩＲＥ）から＋７０ＩＲＥまでの領域の５０％レベル（＋３５ＩＲＥ）で２値化を行い、２値化信号Ｓ１０２を出力する。これを図３（ｃ）に示す。
【００３１】
第３の同期分離回路８１５では、上記得られた２値化信号Ｓ１０２から該信号に含まれる同期信号Ｓ８１５を検出し、第２の著作権情報検出回路８１６に出力する。そして、第２の著作権情報検出回路８１６では、前記第３の同期分離回路８１５の出力である同期信号Ｓ８１５を用いて所望のタイミングで前記２値化回路１０２の出力である２値化信号Ｓ１０２から該信号に重畳されている著作権情報を検出し、第２の切替回路８１７を介して外部へ出力する。
【００３２】
このような実施の形態１による映像信号処理装置は、デジタルＹ信号Ｓ８０９から同期信号Ｓ８１２を分離する第１の同期信号分離回路８１２と、入力信号がＹ／Ｃｂ／Ｃｒ信号のとき、前記同期信号Ｓ８１２を用いて前記デジタルＹ信号Ｓ８０９から著作権情報Ｓ８１３を検出する第１の著作権情報検出回路８１３と、外部より入力されるアナログＶｉｄｅｏ信号Ｓ８０４に対しフィルタ処理を行うＬＰＦ１０１と、前記アナログＶｉｄｅｏ信号を２値化する２値化回路１０２と、前記２値化信号Ｓ１０２から同期信号Ｓ８１５を検出する第３の同期分離回路８１５と、入力信号がＧ／Ｂ／Ｒ信号のとき、前記同期信号Ｓ８１５を用いて前記２値化信号Ｓ１０２から著作権情報Ｓ８１６を検出する第２の著作権情報検出回路８１６とを備えたことより、回路規模の大きいＡ／Ｄ変換回路を持つ必要がなく、回路の構成を簡単にして、消費電力を削減することができる。
【００３３】
（実施の形態２）
以下に、本発明の実施の形態２による映像信号処理装置について説明する。
図４は、本実施の形態２にかかる映像信号処理装置のブロック図を示す。なお、図において、図１と同一または相当する構成要素については同じ符号を用い、その説明を省略する。
【００３４】
タイミング調整回路１０３は、デジタルＹ信号Ｓ８０９の出力タイミングと２値化信号Ｓ１０２の出力タイミングとのずれを検知し、該検知したずれに基づいて同期信号Ｓ８１２を調整して同期信号Ｓ１０３を生成する。
【００３５】
第２の切替回路１０４は、２値化信号Ｓ１０２とデジタルＹ信号Ｓ８０９とを切替える。
第３の切替回路１０５は、第１の同期分離回路８１２から出力される同期信号Ｓ８１２とタイミング調整回路１０３から出力される同期信号Ｓ１０３とを切替える。
【００３６】
以上のように構成された映像信号処理装置の動作について説明する。なお、入力アナログ映像信号のディジタルＹ／Ｃｂ／Ｃｒ信号への変換処理について従来と同じであるため、ここでは説明を省略し、以下、著作権情報の検出について述べる。
入力信号がアナログ映像Ｙ／Ｃｂ／Ｃｒ信号の場合、アナログ映像Ｙ信号に重畳されている著作権情報を検出する。
【００３７】
まず、第１の同期分離回路８１２により前記第１のＡＤ変換回路８０９の出力であるデジタルＹ信号Ｓ８０９から該信号に含まれる同期信号Ｓ８１２を分離し、第３の切替回路１０５を介して著作権情報検出回路８１３に出力する。また、第１のＡＤ変換回路８０９の出力であるデジタルＹ信号Ｓ８０９を第２の切替回路１０４を介して著作権情報検出回路８１３に出力する。
一方、入力信号がアナログ映像Ｇ／Ｂ／Ｒ信号の場合、アナログＶｉｄｅｏ信号に重畳されている著作権情報を検出する。
【００３８】
まず、ＬＰＦ１０１にてアナログＶｉｄｅｏ信号Ｓ８０４に対しフィルタ処理を行い、フィルタ処理後の信号Ｓ１０１を２値化回路１０２により２値化し、第２の切替回路１０４を介して著作権情報検出回路８１３に出力する。また、タイミング調整回路１０３にて、前記第１のＡＤ変換回路８０９の出力であるデジタルＹ信号Ｓ８０９と前記２値化信号Ｓ１０２のタイミングのずれ分だけ、前記第１の同期分離回路８１２の出力である同期信号Ｓ８１２をタイミング調整し、第３の切替回路１０５を介して著作権情報検出回路８１３に出力する。
【００３９】
著作権情報検出回路８１３では、第３の切替回路１０５の出力である同期信号Ｓ１０５に基づいて前記第２の切替回路１０４の出力であるデジタルＹ信号Ｓ１０４から該信号に重畳されている著作権情報Ｓ８１３を検出する。
【００４０】
このような実施の形態２による映像信号処理装置は、デジタルＹ信号Ｓ８０９から同期信号Ｓ８１２を検分離する第１の同期分離回路８１２と、外部より入力されるアナログＶｉｄｅｏ信号Ｓ８０４に対しフィルタ処理を行うＬＰＦ１０１と、前記フィルタ処理されたアナログＶｉｄｅｏ信号Ｓ１０１を２値化する２値化回路１０２と、前記デジタルＹ信号Ｓ８０９の出力タイミングと前記２値化回路１０２により出力される２値化信号Ｓ１０２の出力タイミングとのずれを検知し、該検知したずれに基づいて同期信号Ｓ８１２のタイミングを調整するタイミング調整回路１０３と、入力信号がＹ／Ｃｂ／Ｃｒ信号のときは前記同期信号Ｓ８１２を用いて前記デジタルＹ信号Ｓ８０９から該信号に重畳されている著作権情報Ｓ８１３を検出し、入力信号がＧ／Ｂ／Ｒ信号のときは前記同期信号Ｓ１０３を用いて前記２値化信号Ｓ１０２から該信号に重畳されている著作権情報Ｓ８１３を検出する著作権情報検出回路８１３とを備えたことより、Ｇ／Ｂ／Ｒ信号用の同期信号検出手段、及び著作権情報検出手段を設ける必要が無く、Ｙ／Ｃｂ／Ｃｒ信号用の同期信号検出手段、及び著作権情報検出手段を共用することができ、より回路規模が小さく、回路の構成が簡易になり、消費電力を削減することができる。
【００４１】
【発明の効果】
以上のように、本発明の請求項１にかかる映像信号処理装置によれば、入力アナログ映像信号をデジタルＹ／Ｃｂ／Ｃｒ信号に変換処理する映像信号処理装置において、前記デジタルＹ信号から該信号中に含まれる第１の同期信号を検出する第１の同期信号検出手段と、前記入力アナログ映像信号がＹ／Ｃｂ／Ｃｒ信号のとき、前記第１の同期信号を用いて前記デジタルＹ信号から該信号に重畳されている第１の著作権情報を検出する第１の著作権情報検出手段と、外部より入力されるアナログＶｉｄｅｏ信号に対しフィルタ処理を行うＬＰＦと、前記フィルタ処理後のアナログＶｉｄｅｏ信号を２値化信号に変換する２値化手段と、前記２値化信号から該信号中に含まれる第２の同期信号を検出する第２の同期信号検出手段と、前記入力アナログ映像信号がＧ／Ｂ／Ｒ信号のとき、前記第２の同期信号を用いて前記２値化信号から該信号中に重畳されている第２の著作権情報を検出する第２の著作権情報検出手段とを備えたことより、回路規模の大きいＡＤ変換回路を持つ必要がなく、回路の構成が簡易になり、消費電力を削減することができる。
【００４２】
また、本発明の請求項２にかかる映像信号処理装置によれば、入力アナログ映像信号をデジタルＹ／Ｃｂ／Ｃｒ信号に変換処理する映像信号処理装置において、前記デジタルＹ信号から該信号中に含まれる第１の同期信号を検出する第１の同期信号検出手段と、外部より入力されるアナログＶｉｄｅｏ信号に対しフィルタ処理を行うＬＰＦと、前記フィルタ処理後のアナログＶｉｄｅｏ信号を２値化信号に変換する２値化手段と、前記デジタルＹ信号の出力タイミングと前記２値化信号の出力タイミングとのずれを検知し、該検知したずれに基づいて第１の同期信号を調整して第２の同期信号を生成する第２の同期信号出力手段と、前記入力アナログ映像信号がＹ／Ｃｂ／Ｃｒ信号のとき、前記第１の同期信号を用いて前記デジタルＹ信号から該信号に重畳されている第１の著作権情報を検出し、前記入力アナログ映像信号がＧ／Ｂ／Ｒ信号のとき、前記第２の同期信号を用いて前記２値化信号から該信号に重畳されている第２の著作権情報を検出する著作権情報検出手段とを備えたことより、Ｇ／Ｂ／Ｒ信号用の同期信号検出手段、及び著作権情報検出手段を設ける必要が無く、Ｙ／Ｃｂ／Ｃｒ信号用の同期信号検出手段、及び著作権情報検出手段を共用することができ、より回路規模が小さく、回路の構成が簡易になり、消費電力を削減することができる。
【図面の簡単な説明】
【図１】本発明の実施の形態１にかかる映像信号処理装置のブロック図である。
【図２】本発明のマクロビジョンＡＧＣパルスが重畳されている場合のアナログＶｉｄｅｏ信号の波形図の一例を示す図である。
【図３】本発明のＶＢ−ＩＤが重畳されている場合のアナログＶｉｄｅｏ信号の波形図の一例を示す図である。
【図４】本発明の実施の形態２にかかる映像信号処理装置のブロック図である。
【図５】従来のマクロビジョンＡＧＣパルス波形図を示すものである。
【図６】従来のＶＢ−ＩＤ信号の波形図を示すものである。
【図７】従来の映像信号処理装置の一例を示すブロック図である。
【符号の説明】
１０１  ＬＰＦ
１０２  ２値化回路
１０３  タイミング調整回路
１０４  第２の切替回路
１０５  第３の切替回路
８０１  アナログ映像Ｙ／Ｇ入力端子
８０２  アナログ映像Ｃｂ／Ｂ入力端子
８０３  アナログ映像Ｃｒ／Ｒ入力端子
８０４  Ｖｉｄｅｏ信号入力端子
８０５  マトリックス回路
８０６  第２の同期分離回路
８０７  同期信号付加回路
８０８  第１の切替回路
８０９  第１のＡＤ変換回路
８１０  第２のＡＤ変換回路
８１１  第３のＡＤ変換回路
８１２  第１の同期分離回路
８１３  第１の著作権情報検出回路
８１５  第３の同期分離回路
８１６  第２の著作権情報検出回路
８１７  第２の切替回路
【図１】
2004328660.tif 000003
【図２】
2004328660.tif 000004
【図３】
2004328660.tif 000005
【図４】
2004328660.tif 000006
【図５】
2004328660.tif 000007
【図６】
2004328660.tif 000008
【図７】
2004328660.tif 000009